Podtech/llm-jp-corpus-v4-ja_patent huggingface dataset:
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
上端枠の一部を可動式にした調整枠を設け、上端枠の下方に複数の半円周枠を突起部で取り付け、最下部に車輪付きの底板を設けると共に、底板は蝶番で半円周枠に沿うように半分に折り畳む構成にしたことを特徴とする車輪付きゴミケース。
【手続補正２】
【補正対象書類名】明細書
【補正対象項目名】全文
【補正方法】変更
【補正の内容】
【発明の詳細な説明】
【発明の名称】車輪付きゴミケース
【技術分野】
【０００１】  本発明は、従来の円筒形を半分の形にして、袋を取り付ける引き手を可動式の調整部として大きさの異なる袋を取り付けられる、移動式の横出しゴミケースである。
【背景技術】
【０００２】  公園などにある屋外のゴミ箱は大きくて、頑丈であるがその分重く、一般家庭向けではない。いつもピッタリはまる大きさの袋でなければずり落ちたりゆるすぎたりして効率が悪い。袋を上に持ち上げるのも一苦労で、その際に木の枝が袋を破ってゴミ箱にひっかかることも多く、ゴミ箱を倒して取り出すこともある。取り出した袋を持ち運ぶのも大変である。【０００３】  公園などで落ち葉の掃除を観察すると、少なくとも三人がかりである。集めた落ち葉を袋に詰めるために二人がかりで袋をもって広げている。その袋はリヤカーを使って運んでいる。【０００４】  家庭用に軽くて移動しやすいゴミケースがあれば、一人でも楽に落ち葉や枯れ枝の処理ができる。その上端枠が可動式であり引き手部分の調節をすることができれば、大きさの違う袋を買ってきてしまっても、ゆるまずに袋を取り付けられる。円筒形の半分の形状であれば、袋を取り出す際に上に取り出すことなく横に楽に取り出せる。車輪付きであれば、片手でも運べるし、引き手を伸ばせば移動の際に足元がぶつかることもない。底板を半分に折りたたむことができれば、収納スペースが半分になる。
【発明の概要】
【発明が解決しようとする課題】
【０００５】  解決しようとする問題点は、ゴミケースに取り付ける袋の周囲が、ゴミ箱の周囲より大きければ袋がだぶつき、小さければずり落ちてしまう。公園などにあるものは重くて大きい。袋を取り出すときに枝が袋を破る。重くなると、上に取り出しにくくなる。袋を引きずれば破れてしまうことがある。
本発明は、以上の問題点を解決するためになされたものである。
【課題を解決するための手段】
【０００６】  本発明は、上端枠の一部を可動式にした調整枠を設け、上端枠の下方に複数の半円周枠を突起部で取り付け、最下部に車輪付きの底板を設けると共に、底板は蝶番で半円周枠に沿うように半分に折り畳む構成にしたことを特徴とする車輪付きゴミケースに関する。
【発明の効果】
【０００７】  本発明のゴミケースは、取り付ける袋を最大に広げられ、重くなった袋を楽に運び、取り出しやすくしたという利点がある。
【図面の簡単な説明】
【０００８】
【図１】  正面から見た斜視図である。
【図２】  横から見た図である。
【図３】  底板を折りたたんだときの横から見た図である。
【図４】  調整枠の調整部分を真上から見た図である。
【発明を実施するための形態】
【実施例１】
【０００９】本発明のゴミケースでは、図１に示す様に、上端枠１に袋を取り付けて、図４に示す様に、調整枠３の調整部分を袋の大きさに合わせる。使用する材質に応じて、ボルト、ナットの組み合わせや、磁石を取り付けて調整枠の固定をする。横からはみ出すことを防ぐために、紐もしくはゴム輪を突起部４に取り付けておき、反対側の突起部４にひっかけて袋が飛び出ることを防ぐ。ゴミケースは調整枠３を持ち、車輪７が取り付けてあるので片手で移動可能である。
【実施例２】
【００１０】本発明のゴミケースは、図３に示した様に、底板６を半分に折りたたんで収納することができる。
【産業上の利用可能性】
【００１１】本発明のゴミケースは、一般家庭用として欲しかった、庭掃除用のゴミケースである。公共施設や公園での利用も大いに期待される。公園などを掃き掃除する場合、通常少なくても２〜３人で掃き掃除し、ちりとり、袋を持つ者、リヤカーを移動させる者など、多人数を必要としていた。しかし、本発明のゴミケースでは、一人でゴミケースとともに、ちりとり、ほうきをいっしょに持ち運べて、袋を持つ者が不要となる。一人１台を与えて効率良く迅速に掃除ができる。
本発明のゴミケースは、図工の授業でボルトとナットの関係を学習するための工作キットとしても使える。
本発明のゴミケースは、ホームセンターで買うことができる部品で構成されるので、錆びても部品交換が可能である。上端枠と支柱の固定（支点）、半円周枠と支柱の固定（突起部）、支柱と底板の固定を溶接により行うことができ、また金属材料の代わりに竹材を使用することもでき、コスト的に安く完成させることができる。
【符号の説明】
【００１２】１  上端枠
２  支点
３  調整枠
４  突起部
５  蝶番
６  底板
７  車輪
８  磁石
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
複数種類の薬液を患者用容器に分注する分注装置において、
薬液が収容された複数の薬瓶を保持する薬液供給部と、
患者用容器を移動させる容器供給部と、
カメラと、
を備え、
前記薬液供給部に保持された各薬瓶に収容された薬液を前記容器供給部が移動させた患者用容器に分注し、
前記カメラが撮影した各薬液の分注時の画像を患者データ、処方データと共に記憶することを特徴とする分注装置。
【請求項２】
前記容器供給部が移動させた患者用容器に分注される前記薬瓶内の薬液を吸引するノズルを備え、
前記ノズルが薬液の吸引及び前記薬瓶内への排出を繰り返すことにより、前記薬瓶内の薬液を攪拌することを特徴とする請求項１に記載の分注装置。
【請求項３】
患者用容器に複数の薬液を分注する場合において、前記カメラが撮影した各薬液の分注時の画像を各薬液が適切に分注されているか否かを判断する場合に利用することが可能なように、前記カメラが撮影した各薬液の分注時の画像を閲覧可能としたことを特徴とする請求項１に記載の分注装置。
【手続補正２】
【補正対象書類名】明細書
【補正対象項目名】０００６
【補正方法】変更
【補正の内容】
【０００６】
本発明は、前記課題を解決するための手段として、
分注装置を、
複数種類の薬液を患者用容器に分注する分注装置において、
薬液が収容された複数の薬瓶を保持する薬液供給部と、
患者用容器を移動させる容器供給部と、
カメラと、
を備え、
前記薬液供給部に保持された各薬瓶に収容された薬液を前記容器供給部が移動させた患者用容器に分注し、
前記カメラが撮影した各薬液の分注時の画像を患者データ、処方データと共に記憶するように構成したものである。
前記容器供給部が移動させた患者用容器に分注される前記薬瓶内の薬液を吸引するノズルを備え、
前記ノズルが薬液の吸引及び前記薬瓶内への排出を繰り返すことにより、前記薬瓶内の薬液を攪拌するのが好ましい。
患者用容器に複数の薬液を分注する場合において、前記カメラが撮影した各薬液の分注時の画像を各薬液が適切に分注されているか否かを判断する場合に利用することが可能なように、前記カメラが撮影した各薬液の分注時の画像を閲覧可能とするのが好ましい。
【手続補正書】
【提出日】平成27年6月29日(2015.6.29)
【手続補正１】
【補正対象書類名】特許請求の範囲
【補正対象項目名】請求項１
【補正方法】変更
【補正の内容】
【請求項１】
遊技盤と、
前記遊技盤に配置された始動入球手段と、
前記始動入球手段へ遊技球が入球したことを契機として、大当りか否かの大当り抽選を行う大当り抽選手段と、
前記始動入球手段へ遊技球が入球したことを契機として、小当りか否かの小当り抽選を行う小当り抽選手段と、
前記遊技盤に配置された特別入賞手段と、
前記大当り抽選又は前記小当り抽選に当選した場合、当該当選の対象となる図柄変動ゲームの終了後、前記特別入賞手段の開放状態及び閉鎖状態を制御して当り遊技を生起させる当り遊技生起手段と、
報知演出を実行する報知演出実行手段と、
前記大当り抽選の当選を契機とする当り遊技の終了後から終了条件が成立するまでの間、前記始動入球手段へ遊技球が入球する確率が通常よりも高確率となる入球率向上状態を生起させる入球率向上状態生起手段と、を備え、
前記遊技盤には、発射された遊技球がアウト口に向かって流下する第１のルートと、前記第１のルートとは異なるルートであってアウト口に向かって流下する第２のルートと、が規定され、
前記遊技盤には、前記第１のルートで流下する遊技球が入球可能な始動入球手段と、前記第２のルートで流下する遊技球が入球可能な始動入球手段と、が配置されており、
前記報知演出実行手段は、
前記入球率向上状態が生起されていないときは前記第１のルートを流下させるように遊技球の発射を促す第１内容の報知演出を実行し、
前記入球率向上状態が生起されているときは前記第２のルートを流下させるように遊技球の発射を促す第２内容の報知演出を実行し、
前記小当り抽選の当選対象となる図柄変動ゲームが前記終了条件の成立対象となる場合には、当該図柄変動ゲームの終了後に生起される当り遊技中、前記第１内容の報知演出を実行することを特徴とする遊技機。
【手続補正２】
【補正対象書類名】明細書
【補正対象項目名】０００６
【補正方法】変更
【補正の内容】
【０００６】
上記課題を解決する遊技機は、遊技盤と、前記遊技盤に配置された始動入球手段と、前記始動入球手段へ遊技球が入球したことを契機として、大当りか否かの大当り抽選を行う大当り抽選手段と、前記始動入球手段へ遊技球が入球したことを契機として、小当りか否かの小当り抽選を行う小当り抽選手段と、前記遊技盤に配置された特別入賞手段と、前記大当り抽選又は前記小当り抽選に当選した場合、当該当選の対象となる図柄変動ゲームの終了後、前記特別入賞手段の開放状態及び閉鎖状態を制御して当り遊技を生起させる当り遊技生起手段と、報知演出を実行する報知演出実行手段と、前記大当り抽選の当選を契機とする当り遊技の終了後から終了条件が成立するまでの間、前記始動入球手段へ遊技球が入球する確率が通常よりも高確率となる入球率向上状態を生起させる入球率向上状態生起手段と、を備え、前記遊技盤には、発射された遊技球がアウト口に向かって流下する第１のルートと、前記第１のルートとは異なるルートであってアウト口に向かって流下する第２のルートと、が規定され、前記遊技盤には、前記第１のルートで流下する遊技球が入球可能な始動入球手段と、前記第２のルートで流下する遊技球が入球可能な始動入球手段と、が配置されており、前記報知演出実行手段は、前記入球率向上状態が生起されていないときは前記第１のルートを流下させるように遊技球の発射を促す第１内容の報知演出を実行し、前記入球率向上状態が生起されているときは前記第２のルートを流下させるように遊技球の発射を促す第２内容の報知演出を実行し、前記小当り抽選の当選対象となる図柄変動ゲームが前記終了条件の成立対象となる場合には、当該図柄変動ゲームの終了後に生起される当り遊技中、前記第１内容の報知演出を実行することを特徴とする。
【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
皮膚に貼着するための第１粘着剤層が皮膚に対向する皮膚対向面側に形成されているとともに皮膚からの水蒸気を透過可能な透湿性シートの第１領域に、水溶性の複数のマイクロニードルがアレイ状に形成されている水溶性のマイクロニードルシートを固着させるマイクロニードルシート固着工程と、
少なくとも前記第１領域の水蒸気の透過を遮断する水蒸気遮断性シートを含む補強フィルムを、前記透湿性シートの前記皮膚対向面とは反対側にある外面上に第２粘着剤層によって貼り付けて経皮投与用貼付剤を組み立てる組立工程と、
を備える、経皮投与用貼付剤の製造方法。
【請求項２】
マイクロニードルを形成するための微細孔を持つスタンパーに前記マイクロニードルの原料水溶液を塗布する塗布工程と、
塗布された前記原料水溶液を前記スタンパーと一緒になって挟むように、前記原料水溶液の蒸気を透過する透湿性シートを前記原料水溶液に接触させて載置する載置工程と、
前記スタンパーと前記透湿性シートとの間に前記原料水溶液を挟んだ状態で前記透湿性シートを透して少なくとも前記原料水溶液の一部を蒸発させ、前記原料水溶液の乾燥体によって前記マイクロニードルを形成する乾燥工程と、
前記乾燥工程で形成された前記マイクロニードルから前記スタンパーを剥離する剥離工程と、
前記乾燥工程によって前記マイクロニードルが固定され、かつ皮膚に貼着するための第１粘着剤層が皮膚対向面側に形成された前記透湿性シートの前記皮膚対向面とは反対側にある外面側に水蒸気の透過を遮断する水蒸気遮断性シートを貼り付けて経皮投与用貼付剤を組み立てる組立工程と、
前記組立工程の完了前に、前記原料水溶液に接触する原料水溶液接触領域以外の前記透湿性シート上に前記第１粘着剤層を形成する第１粘着剤層形成工程と
を備える、経皮投与用貼付剤の製造方法。
【請求項３】
前記透湿性シートは、孔径０．１μｍから１００μｍまでの複数の蒸気透過孔及び開口径０．５ｍｍ以上４．５ｍｍ以下の複数の開口部のうちの少なくとも一方を持つプラスチックフィルム又は繊維シートを含んでいる、
請求項１又は請求項２に記載の経皮投与用貼付剤の製造方法。
【請求項４】
前記透湿性シートは、孔径０．１μｍから１００μｍまでの複数の蒸気透過孔及び開口径０．５ｍｍ以上４．５ｍｍ以下の複数の開口部のうちの少なくとも一方を持つプラスチックフィルムの上に、繊維シートからなる吸水層又は吸水性高分子を含む吸水層を有してなり、
前記マイクロニードルシート固着工程は、前記第１領域に前記吸水層を配置し、前記マイクロニードルシートが前記吸水層に接触するように前記マイクロニードルシートを固着する、
請求項１に記載の経皮投与用貼付剤の製造方法。
【請求項５】
前記乾燥工程では、前記透湿性シートを平坦に保持しながら乾燥させる、
請求項２に記載の経皮投与用貼付剤の製造方法。
【請求項６】
前記透湿性シートは、前記載置工程の前に予め前記透湿性シートにシート状に前記原料水溶液が塗布されて乾燥されることによって形成されかつ、前記載置工程において前記原料水溶液に接触する多孔質のシート状基材を有し、
前記乾燥工程は、前記シート状基材を前記微細孔に満たされた前記原料水溶液に接触させた状態で乾燥して前記マイクロニードルを形成する工程を含む、
請求項５に記載の経皮投与用貼付剤の製造方法。
【請求項７】
前記透湿性シートは、孔径０．１μｍから１００μｍまでの複数の蒸気透過孔及び開口径０．５ｍｍ以上４．５ｍｍ以下の複数の開口部のうちの少なくとも一方を持つプラスチックフィルムの上に、前記載置工程において前記原料水溶液に接触する、繊維シートからなる吸水層又は吸水性高分子を含む吸水層を有してなり、
前記乾燥工程は、前記吸水層を前記微細孔に満たされた前記原料水溶液に接触させた状態で乾燥して前記マイクロニードルを形成する工程を含む、
請求項６に記載の経皮投与用貼付剤の製造方法。
【請求項８】
水溶性のシート状の基板と前記基板の上にアレイ状に形成されている水溶性の複数のマイクロニードルとを有するマイクロニードルシートと、
前記マイクロニードルシートが皮膚に対向する皮膚対向面側の第１領域に固着され、前記皮膚対向面側に第１粘着剤層が塗布され、繊維性シート又は蒸気透過孔及び複数の開口部のうちの少なくとも一方を前記第１領域に持つプラスチックフィルムからなっていて水蒸気を透過する透湿性シートと、
第２粘着剤層によって前記皮膚対向面とは反対側にある前記透湿性シートの外面上に貼着されている補強フィルムと、
を備え、
前記補強フィルムは、少なくとも前記第１領域の水蒸気の透過を遮断する水蒸気遮断性シートを含む、経皮投与用貼付剤。
【請求項９】
前記補強フィルムは、前記透湿性シートよりもループスティフネスの値が大きい材料で形成されている、
請求項８に記載の経皮投与用貼付剤。
【請求項１０】
前記粘着剤で前記透湿性シートに貼着され、前記補強フィルムと共に前記マイクロニードルシートに接触しないように前記マイクロニードルシートを包むキャビティを形成するカバーフィルムをさらに備える、
請求項８又は請求項９に記載の経皮投与用貼付剤。
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
被検乳酸菌のウロモジュリン（Umod)蛋白質への結合数を測定することを含む、免疫調節作用を有する乳酸菌のスクリーニング方法。
【請求項２】
被検乳酸菌のウロモジュリン（Umod) 蛋白質への結合数が、Lactobacillus acidophilus L-92株のウロモジュリン（Umod) 蛋白質への結合数と同等もしくはそれよりも多い場合に、該被検乳酸菌を、免疫調節作用を有する乳酸菌として選択する、請求項１に記載のスクリーニング方法。
【請求項３】
下記の工程を含む、免疫調節作用を有する乳酸菌のスクリーニング方法：
(a) 被検乳酸菌とウロモジュリン（Umod) 蛋白質とを接触させる工程、
(b) 上記被検乳酸菌のウロモジュリン（Umod) 蛋白質への結合数を測定する工程、
(c) (b)で測定した結合数を、Lactobacillus acidophilus L-92株のウロモジュリン（Umod) 蛋白質への結合数（対照結合数）と比較する工程、および
(d) (c)の結果に基づいて、被検乳酸菌の中から、対照結合数と同等もしくはそれよりも多い結合数を示す乳酸菌を、免疫調節作用を有する乳酸菌として選択する工程。
【請求項４】
前記結合数を、ウロモジュリン（Umod) 蛋白質に結合した乳酸菌の遺伝子量により測定する、請求項１〜３のいずれかに記載の方法。
【請求項５】
被検乳酸菌のウロモジュリン（Umod) 蛋白質への結合数を、Lactobacillus acidophilus L-92株のウロモジュリン（Umod) 蛋白質への結合数と比較し、該被検乳酸菌の免疫調節能を評価することを含む、乳酸菌の免疫調節能の評価方法。
【請求項６】
下記の工程を含む、免疫調節作用を有する乳酸菌の製造方法:
(a) 被検乳酸菌とウロモジュリン（Umod) 蛋白質とを接触させる工程、
(b) 上記被検乳酸菌のウロモジュリン（Umod) 蛋白質への結合数を測定する工程、
(c) (b)で測定した結合数を、Lactobacillus acidophilus L-92株のウロモジュリン（Umod) 蛋白質への結合数（対照結合数）と比較する工程、および
(d) (c)の結果に基づいて、被検乳酸菌の中から、対照結合数と同等もしくはそれよりも多い結合数を示す乳酸菌を、免疫調節作用を有する乳酸菌として取得する工程。
【請求項７】
ウロモジュリン（Umod) 蛋白質への結合数が、Lactobacillus acidophilus L-92株のウロモジュリン（Umod)蛋白質への結合数と同等もしくはそれよりも多く、かつ、免疫調節作用を有する乳酸菌（ただし、Lactobacillus acidophilus L-92株を除く）。
【請求項８】
請求項６に記載の方法により得られる免疫調節作用を有する乳酸菌（ただし、Lactobacillus acidophilus L-92株を除く）。
【請求項９】
受託番号NITE BP-1512で特定されるLactobacillus fermentum CP1299株、受託番号NITE BP-1513で特定されるLactobacillus acidophilus CP1613株、受託番号NITE BP-1514で特定されるLactobacillus fermentum CP1753株、又はそれらの類似菌株もしくは変異株。
【請求項１０】
請求項７〜９のいずれかに記載の乳酸菌を有効成分として含む免疫調節用組成物。
【請求項１１】
前記免疫調節用組成物が医薬である、請求項１０に記載の免疫調節用組成物。
【請求項１２】
前記免疫調節用組成物が飲食品である、請求項１０に記載の免疫調節用組成物。
【請求項１３】
ウロモジュリン（Umod）蛋白質への結合数が、Lactobacillus acidophilus L-92株のウロモジュリン（Umod) 蛋白質への結合数と同等もしくはそれよりも多い乳酸菌（ただし、Lactobacillus acidophilus L-92株を除く）の、免疫調節用組成物の製造への使用。
【請求項１４】
ウロモジュリン（Umod）蛋白質を含む、免疫調節作用を有する乳酸菌のスクリーニング用キット。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
吸湿すると変質する外殻表皮と、水分を含有する内容物とによって構成されている食物の製造方法であって、予め、前記内容物を密閉容器に封入し、前記外殻表皮には透孔が開設されており、食する直前に前記密閉容器の先端部を切断し前記透孔から外殻表皮内に差し込んだ後、前記内容物を外殻表皮内に注入することを特徴とする食物の製造方法。
【請求項２】
高温で加熱成形され吸湿すると変質する外殻表皮と、水分を含有する内容物とによって構成される食物の製造方法であって、加熱成形直後の高温の外殻表皮の内面に非水溶性で加熱によって流動化する第２の内容物を塗布し、当該第２の内容物が冷却固化後に、当該第２の内容物の内側に前記内容物を注入することを特徴とする食物の製造方法。
【請求項３】
吸湿すると変質する外殻表皮と、水分を含有する内容物とによって構成されている食物の製造方法であって、弾力性薄膜にてなる風船状の内容物収納袋を、前記外殻表皮に開設されている透孔から内部に挿入し、前記内容物収納袋の開口部を前記透孔から外部に突出させ、前記内容物収納袋内に開口部から前記内容物を注入後、当該開口部を封止することを特徴とする食物の製造方法。
【請求項４】
食物を食する際に、前記内容物収納袋を穿刺して、前記内容物収納袋を破裂させて内容物を外殻表皮の内面に接触させてから、前記内容物収納袋を外殻表皮の前記透孔から引き抜くことを特徴とする請求項３記載の食物の製造方法。
【請求項５】
吸湿すると変質する外殻表皮と、水分を含有する内容物とによって構成されている食物の製造方法であって、薄膜にてなる袋体の内底部に糸部材の一端が接続され当該糸部材の他端は当該袋体の開口部から外部に導出されてなる内容物収納袋を、前記外殻表皮に開設されている透孔から内部に挿入し、前記内容物収納袋の開口部を前記透孔から外部に突出させ、当該内容物収納袋の開口部から内部に前記内容物を注入後、当該開口部を封止することを特徴とする食物の製造方法。
【請求項６】
食物を食する際に、前記糸部材を他端から引き抜くことによって、前記内容物収納袋の底部が破壊され内容物が外殻表皮の内面に接触してから、前記内容物収納袋を外殻表皮の前記透孔から引き抜くことを特徴とする請求項５記載の食物の製造方法。
【請求項７】
外殻表皮がシューで、内容物がクリームであり、食物がシュークリームである請求項１ないし請求項５のいずれかに記載の食物の製造方法。
【手続補正２】
【補正対象書類名】明細書
【補正対象項目名】０００９
【補正方法】変更
【補正の内容】
【０００９】  （１）本発明は、吸湿すると変質する外殻表皮と、水分を含有する内容物とによって構成されている食物の製造方法であって、予め、前記内容物を密閉容器に封入し、前記外殻表皮には透孔が開設されており、食する直前に前記密閉容器の先端部を切断し前記透孔から外殻表皮内に差し込んだ後、前記内容物を外殻表皮内に注入することを特徴とするものである。
【手続補正３】
【補正対象書類名】明細書
【補正対象項目名】００１５
【補正方法】変更
【補正の内容】
【００１５】  （４）本発明は、食物を食する際に、前記内容物収納袋を穿刺して、前記内容物収納袋を破裂させて内容物を外殻表皮の内面に接触させてから、前記内容物収納袋を外殻表皮の前記透孔から引き抜くことを特徴とする。
【手続補正４】
【補正対象書類名】明細書
【補正対象項目名】００２７
【補正方法】変更
【補正の内容】
【００２７】  なお、シュー１を水平方向に切断することなく、図２に示す実施の形態のようにシュー１の一部に透孔３を開設し、当該透孔３から流動化したバターチョコレート７をノズルによって注入してもよい。
【手続補正５】
【補正対象書類名】明細書
【補正対象項目名】００３８
【補正方法】変更
【補正の内容】
【００３８】  その後前記クリーム収納袋９をシュー１の前記透孔３から取り出せば、前記第３の実施の形態と同様にシュー１の内部にクリーム２だけが収納されることになる（Ｆ）。
なお、１２は前記クリーム収納袋９の開口部９ａに装着された環状の留具である。
前記実施の形態では、いずれもシュー１の底部に透孔３が開設されているが、シュー１の側部であってもよい。
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
偏光子と、前記偏光子の一方の面上に積層された第１の偏光子保護層と、前記偏光子の他方の面上に積層され、前記第１の偏光子保護層よりもヤング率の低い第２の偏光子保護層と、を含む光学部材の端面を切削する切削加工方法であって、
回転軸と、前記光学部材の端面側に突出する切削刃と、を有する切削部材を準備し、
前記回転軸を中心に前記切削刃を前記第２の偏光子保護層の側から前記第１の偏光子保護層の側に回転させることで、回転する前記切削刃を前記第２の偏光子保護層の側から侵入させて前記光学部材の端面に接触させることによって前記光学部材の端面を切削する切削加工方法。
【請求項２】
１回の切削加工処理バッチが完了した後に切削加工後の光学部材の外形寸法を測定し、次バッチの切削加工処理によって得られる光学部材の外形寸法が要求される許容範囲を超えた外形寸法とならないように、前記次バッチの切削加工処理を始める前に、前記次バッチで切削加工処理される光学部材の端面と前記切削刃との相対位置を調整する請求項１に記載の切削加工方法。
【請求項３】
前記光学部材の切削加工条件をヒートショック試験の結果に基づいて決定し、
前記ヒートショック試験は、切削加工後の光学部材にオートクレーブ処理を行い、前記光学部材を６０℃〜９０℃で１時間加熱し、前記貼合体を常温で１５分〜３０分放置し、前記貼合体を水温２３℃〜４０℃で水槽に３０分浸漬させる請求項１または２に記載の切削加工方法。
【手続補正２】
【補正対象書類名】明細書
【補正対象項目名】発明の名称
【補正方法】変更
【補正の内容】
【発明の名称】切削加工方法
【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
結着樹脂、一般式（１）で表される化合物及び着色剤を含有するマゼンタトナー粒子を有するマゼンタトナーであって、着色剤として、キナクリドン骨格を有する顔料を含有することを特徴とするマゼンタトナー。
【化１】
2013047796.tif 000001
［一般式（１）中、Ｒ1及びＲ2は、各々独立して、水素原子、アルキル基、アリール基又はアラルキル基を表す。］
【請求項２】
前記一般式（１）中、Ｒ1がアルキル基又はアリール基であることを特徴とする、請求項１に記載のマゼンタトナー。
【請求項３】
前記一般式（１）中、Ｒ1がメチル基、ｎ−ブチル基、シクロヘキシル基又は４−メチルフェニル基であることを特徴とする、請求項１に記載のマゼンタトナー。
【請求項４】
前記キナクリドン骨格を有する顔料が一般式（２）で表わされることを特徴とする、請求項１乃至３の何れか１項に記載のマゼンタトナー。
【化２】
2013047796.tif 000002
［一般式（２）中、Ｘ1及びＸ2は、各々独立して、水素原子、アルキル基又はハロゲン原子を表す。］
【請求項５】
前記マゼンタトナー粒子が、ワックスを含有することを特徴とする、請求項１乃至４の何れか１項に記載のマゼンタトナー。
【請求項６】
一般式（１）で表される化合物の含有量が、キナクリドン骨格を有する顔料１００質量部に対して、０．０１〜１０質量部である、請求項１乃至５のいずれか１項に記載のマゼンタトナー。
【請求項７】
一般式（１）で表される化合物の含有量が、キナクリドン骨格を有する顔料１００質量部に対して、０．１〜５質量部である、請求項１乃至５のいずれか１項に記載のマゼンタトナー。
【請求項８】
一般式（１）で表される化合物が、以下の化合物（２）、（３）、（５）、（９）、（１５）、（１７）及び（２１）からなる群より選択される少なくとも１種の化合物である、請求項１乃至７の何れか１項に記載のマゼンタトナー。
【化３】
2013047796.tif 000003
【請求項９】
一般式（１）で表される化合物とキナクリドン骨格を有する顔料と有機溶剤とを混合して、着色剤分散体を調製する工程、
前記着色剤分散体と重合性単量体とを混合して重合性単量体組成物を調製する工程、
前記重合性単量体組成物を水系媒体中に分散して造粒を行い、重合性単量体組成物の液滴を生成する工程、
前記液滴中の重合性単量体を重合してマゼンタトナー粒子を製造する工程、を有するマゼンタトナーの製造方法であって、
得られるトナーが、請求項１乃至８の何れか１項に記載のマゼンタトナーであることを特徴とするマゼンタトナーの製造方法。
【化４】
2013047796.tif 000004
［一般式（１）中、Ｒ1及びＲ2は、各々独立して、水素原子、アルキル基、アリール基又はアラルキル基を表す。］
【請求項１０】
一般式（１）で表される化合物とキナクリドン骨格を有する顔料と有機溶剤とを混合して、着色剤分散体を調製する工程、
前記着色剤分散体、結着樹脂を、有機溶剤中で混合して溶剤組成物を調製する工程、
該溶剤組成物を水系媒体中に分散して溶剤組成物の粒子の造粒を行う工程、
前記粒子から有機溶剤を除去しマゼンタトナー粒子を製造する工程、を有するマゼンタトナーの製造方法であって、
得られるトナーが、請求項１乃至８の何れか１項に記載のマゼンタトナーであることを特徴とするマゼンタトナーの製造方法。
【化５】
2013047796.tif 000005
［一般式（１）中、Ｒ1及びＲ2は、各々独立して、水素原子、アルキル基、アリール基又はアラルキル基を表す。］
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
予め決められたスキャンライン画像データに応答して、一連の一次元光ピクセルで構成される一次元スキャンライン画像を発生するための方法であって、
１つ以上の光源から第１の束密度の有する１つ以上の光ビームを発生させることにより、均質光を発生させることを含み、前記発生した１つ以上の光ビームの全てがホモジナイザに案内されると共に、前記ホモジナイザから出た前記均質光が均一の二次元均質光場を形成し且つ第２の束密度を有し、前記第１の束密度は前記第２の束密度より大きく、
前記予め決められたスキャンライン画像データに従って前記均質光を変調することを含み、前記変調された均質光が二次元変調光場を形成し、
前記均質光が前記変調されてなる変調光をアナモルフィックに画像化しかつ集中させることを含み、前記集中された変調光が一次元スキャンライン画像を形成し、前記一連の一次元光ピクセルの各々は、スキャンラインに垂直に位置合わせされた複数の光変調素子から受け取られた前記二次元変調光場の同時に組み合わされた部分を備え、
前記変調光をアナモルフィックに集中させることは、
第１の集束レンズ及び第２の集束レンズを用いて、処理方向に交差する方向に、前記変調光の部分を投影しかつ拡大することを含み、前記変調光の部分が、前記第１の集束レンズと前記第２の集束レンズとの間で処理方向に平行のままであり、
前記第１の集束レンズ及び前記第２の集束レンズより下流に位置する第３の集束レンズを用いて、前記処理方向に平行な方向に前記変調光の部分を集中させることを含む、
方法。
【請求項２】
前記均質光を変調することは、
複数の行及び複数の列に配置された前記複数の光変調素子の上に前記均質光を案内することを含み、前記複数の列の各々は、前記複数の光変調素子の関連付けられたグループを含み、
前記複数の光変調素子の各々を制御することを含み、前記予め決められたスキャンライン画像データに応答して、前記複数の光変調素子の各々が、第１の変調状態及び第２の変調状態の１つに調整され、前記複数の光変調素子の各々が前記第１の変調状態にあるとき、前記複数の光変調素子の各々は、関連付けられ且つ受け取られた前記均質光の部分を変調して、前記関連付けられ且つ変調された前記均質光の部分が、対応する予め定められた方向に案内されると共に、前記複数の光変調素子の各々が前記第２の変調状態にあるとき、前記複数の光変調素子の各々は、前記関連付けられ且つ受け取られた前記均質光の部分を変調して、前記関連付けられ且つ変調された前記均質光の部分が、前記対応する予め定められた方向に沿って通過せず、
前記変調光をアナモルフィックに集中させることは、
前記複数の光変調素子の各々から受け取られた前記変調光の部分をアナモルフィックに集中させることを含み、前記複数の列の各々の前記複数の光変調素子の関連付けられた各グループから受け取られた前記変調光の部分は、前記一次元スキャンライン画像の関連付けられた画像領域の上に集中する、
請求項１に記載の方法。
【請求項３】
前記均質光を変調することは、デジタル・マイクロミラー・デバイス、電子光学回折変調器アレイ、及び熱光学吸収素子から成るアレイの１つを利用することを含む、請求項１に記載の方法。
【請求項４】
前記均質光を変調することは、
基板に配置された複数の微小電気機械式ミラー機構に前記均質光を案内することを含み、
前記複数の微小電気機械式ミラー機構の各々を制御することを含み、前記予め決められたスキャンライン画像データの対応する部分に従って、前記基板に対して傾いた第１の位置と前記基板に対して傾いた第２の位置との間で、前記複数の微小電気機械式ミラー機構の各々のミラーが動かされる、
請求項１に記載の方法。
【請求項５】
前記均質光を変調することは、前記複数の微小電気機械式ミラー機構の各々を位置させることを含み、前記複数の微小電気機械式ミラー機構の各々のミラーが前記基板に対して傾いた第１の位置に位置するとき、前記複数の微小電気機械式ミラー機構の各々のミラーは、前記均質光の関連付けられ部分を反射させ、前記反射された部分は、アナモルフィック光学系に案内されると共に、前記複数の微小電気機械式ミラー機構の各々のミラーが前記基板に対して傾いた第２の位置に位置するとき、前記複数の微小電気機械式ミラー機構の各々のミラーは、前記均質光の前記関連付けられ部分を反射させ、前記反射された部分は、前記アナモルフィック光学系から離れる、
請求項４に記載の方法。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
基材上に反射防止膜が形成された光学素子であって、
前記反射防止膜は、前記基材の上に形成される第１層と、
前記第１層の上に形成され、前記第１層とは異なる材料から成る第２層と、
前記第２層の上に形成され、厚さ方向において空間充填率が変化する凹凸構造体から成る第３層と、を含み、
前記第３層は、厚さ方向において屈折率が互いに異なる割合で変化する３つの領域を有する、
ことを特徴とする光学素子。
【請求項２】
屈折率を規定する基準波長を５５０ｎｍとするとき、
前記基材の屈折率は１．６５〜２．２０の範囲にあり、
前記第１層の厚さは３０〜７０ｎｍで、屈折率は１．５２〜１．８２であり、
前記第２層の厚さは１０〜５０ｎｍで、屈折率は１．４０〜１．５８であり、
前記第３層の厚さは２００〜３００ｎｍで、屈折率は１．４０〜１．５８から１．０に向かって変化していることを特徴とする請求項１に記載の光学素子。
【請求項３】
前記第３層は、前記第２層の側から順に、
厚さが１５〜４５ｎｍで、屈折率が４．４〜１２×１０−３ｎｍ−１の割合で変化する第１領域と、
厚さが２５〜７５ｎｍで、屈折率が１．９〜４．３×１０−３ｎｍ−１の割合で変化する第２領域と、
厚さが１２０〜２００ｎｍで、屈折率が０．９〜１．８×１０−３ｎｍ−１の割合で変化する第３領域と、を含むことを特徴とする請求項１または２に記載の光学素子。
【請求項４】
前記第１層、前記第２層、および前記第３層は、ウェットプロセスにて形成されることを特徴とする請求項１ないし３のいずれか１項に記載の光学素子。
【請求項５】
前記第１層は、有機樹脂層であることを特徴とする請求項１ないし４のいずれか１項に記載の光学素子。
【請求項６】
前記第２層は、酸化アルミニウムを主成分とする多孔質層であることを特徴とする請求項１ないし５のいずれか１項に記載の光学素子。
【請求項７】
前記第３層は、酸化アルミニウムを主成分とする板状結晶から成ることを特徴とする請求項１ないし６のいずれか１項に記載の光学素子。
【請求項８】
複数の光学素子を有する光学系であって、
前記複数の光学素子のうち少なくとも１つは、請求項１ないし７のいずれか１項に記載の光学素子であることを特徴とする光学系。
【請求項９】
光学系を有する光学機器であって、
前記光学系は、請求項８に記載の光学系であることを特徴とする光学機器。
【手続補正２】
【補正対象書類名】明細書
【補正対象項目名】０００９
【補正方法】変更
【補正の内容】
【０００９】
上記課題を解決するために、本発明は、基材上に反射防止膜が形成された光学素子であって、前記反射防止膜は、前記基材の上に形成される第１層と、前記第１層の上に形成され、前記第１層とは異なる材料から成る第２層と、前記第２層の上に形成され、厚さ方向において空間充填率が変化する凹凸構造体から成る第３層と、を含み、前記第３層は、厚さ方向において屈折率が互いに異なる割合で変化する３つの領域を有する、ことを特徴とする。
【手続補正書】
【提出日】平成27年5月20日(2015.5.20)
【手続補正１】
【補正対象書類名】明細書
【補正対象項目名】発明の名称
【補正方法】変更
【補正の内容】
【発明の名称】酸化グラファイトの作製方法、酸化グラフェンの作製方法及びグラフェンの作製方法
【手続補正２】
【補正対象書類名】特許請求の範囲
【補正対象項目名】全文
【補正方法】変更
【補正の内容】
【特許請求の範囲】
【請求項１】
グラファイトを溶液中で酸化する工程と、
前記溶液の水素イオン濃度がＰＨ３以下となるように酸を添加する工程と、
前記溶液から電気透析により陽イオンを除去する工程と、を有することを特徴とする酸化グラファイトの作製方法。
【請求項２】
請求項１において、
前記酸は塩酸であることを特徴とする酸化グラファイトの作製方法。
【請求項３】
グラファイトを溶液中で酸化する工程と、
前記溶液の水素イオン濃度がＰＨ６乃至８となるようにＰＨ調整剤を添加する工程と、
前記溶液から電気透析により陽イオンおよび陰イオンを除去する工程と、を有することを特徴とする酸化グラファイトの作製方法。
【請求項４】
請求項３において、
前記ＰＨ調整剤は、水酸化リチウムであることを特徴とする酸化グラファイトの作製方法。
【請求項５】
請求項３において、
前記ＰＨ調整剤は、水酸化アンモニウムであることを特徴とする酸化グラファイトの作製方法。
【請求項６】
グラファイトを溶液中で酸化する工程と、
前記溶液の水素イオン濃度がＰＨ６乃至８となるようにＰＨ調整剤を添加する工程と、
前記溶液から陽イオンおよび陰イオンを除去する第１の電気透析を行う工程と、
バイポーラ膜を用いて、前記溶液から陽イオンを除去する第２の電気透析を行う工程と、を有することを特徴とする酸化グラファイトの作製方法。
【請求項７】
請求項６において、
前記第１の電気透析を行う工程には、陽イオン交換膜と陰イオン交換膜を用いることを特徴とする酸化グラファイトの作製方法。
【請求項８】
請求項６又は７において、
前記第２の電気透析を行う工程には、陽イオン交換膜とバイポーラ膜を用いることを特徴とする酸化グラファイトの作製方法。
【請求項９】
請求項１乃至８のいずれか一項における酸化グラファイトに超音波処理を行うことを特徴とする酸化グラフェンの作製方法。
【請求項１０】
請求項９における酸化グラフェンに還元処理を行うことを特徴とするグラフェンの作製方法。
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
帯電防止剤を含有する粘着剤組成物であって、（メタ）アクリル系ポリマーを含有し、前記帯電防止剤として、式１で示されるイオン性化合物を含有し、該イオン性化合物が、加水分解性のケイ素含有基を含む有機カチオンを有し、前記有機カチオンＺ＋は、式２で示される１種または２種以上のアルコキシシリル基含有カチオンである粘着剤組成物。
【化１】
2013047292.tif 000001
（ただし、式１において、Ｚ＋はカチオンを示し、Ｘ−はアニオンを示す。）
【化２】
2013047292.tif 000002
（ただし、式２において、
Ｒ１およびＲ２は、互いに同一または異なるアルキル基を表し、
ｎは、１〜３の整数を表し、
Ｑ１は、炭素数１から１０のアルキレン基を表し、
Ｅは、ＮＨまたはＳを表し、
Ｑ２は、単結合または炭素数１から１０のアルキレン基を表し、
Ｑ３は、炭素数１から１０のアルキレン基を表し、
Ｖ＋は、アンモニウム基、ピリジニウム基、ピロリジニウム基、イミダゾリウム基、グアニジニウム基、イソウロニウム基、チオウロニウム基、ピペリジニウム基、ピラゾリウム基、モルホリニウム基、ホスホニウム基、スルホニウム基から選択される１価のカチオン基を示し、該カチオン基は無換基でも置換基を有してもよい。）
【請求項２】
前記加水分解性のケイ素含有基が、トリメトキシシリル基、トリエトキシシリル基、メチルジメトキシシリル基、メチルジエトキシシリル基、エチルジメトキシシリル基、エチルジエトキシシリル基から選択されるアルコキシシリル基である請求項１に記載の粘着剤組成物。
【請求項３】
前記（メタ）アクリル系ポリマーが、（Ａ）アルキル基の炭素数がＣ１〜Ｃ１４のアルキル（メタ）アクリレートモノマーの少なくとも１種と、（Ｂ）水酸基および／またはカルボキシル基を含有する共重合性ビニルモノマーの少なくとも１種と、からなる共重合組成物であり、
前記共重合組成物の１００重量部に対して、前記帯電防止剤が、（Ｃ）前記の式１で示されるイオン性化合物を０．１〜２０重量部、を必須成分として含有することを特徴とする請求項１又は２に記載の粘着剤組成物。
【請求項４】
前記（メタ）アクリル系ポリマーが、（Ａ）アルキル基の炭素数がＣ１〜Ｃ１４のアルキル（メタ）アクリレートモノマーの少なくとも１種と、（Ｂ′）ビニル基を有する共重合性ビニルモノマーの少なくとも１種と、からなる共重合組成物であり、
前記共重合組成物の１００重量部に対して、前記帯電防止剤が、（Ｃ）前記の式１で示されるイオン性化合物を０．１〜２０重量部、を必須成分として含有することを特徴とする請求項１又は２に記載の粘着剤組成物。
【請求項５】
前記粘着剤組成物からなる粘着剤層の表面抵抗率が１．０×１０＋１２Ω／□以下であることを特徴とする請求項１〜４のいずれかに記載の粘着剤組成物。
【請求項６】
前記イオン性化合物のアニオンＸ−は、六フッ化リン酸アニオン、ビス（フルオロスルホニル）イミドアニオン、トリス（ペンタフルオロエチル）トリフルオロフォスフェートアニオン、ビス（トリフルオロメタンスルホニル）イミドアニオン、チオシアン酸アニオン、アルキルベンゼンスルホン酸アニオン、過塩素酸アニオン塩、四フッ化ホウ素酸アニオンからなる無機もしくは有機のアニオン群から選択した１種または２種以上であることを特徴とする請求項１〜５のいずれかに記載の粘着剤組成物。
【請求項７】
基材の片面上に、請求項１〜６のいずれかに記載の粘着剤組成物が積層されたことを特徴とする粘着フィルム。
【請求項８】
基材の片面上に、請求項１〜６のいずれかに記載の粘着剤組成物からなる粘着剤層が積層されたことを特徴とする粘着フィルム。
【請求項９】
請求項７または８に記載の粘着フィルムが用いられた、表面保護フィルム。
【請求項１０】
請求項７または８に記載の粘着フィルムが用いられた、偏光板用の表面保護フィルム。
【請求項１１】
請求項７または８に記載の粘着フィルムが用いられた、光学用の表面保護フィルム。
【請求項１２】
光学フィルムの少なくとも一方の面に、請求項１〜６のいずれかに記載の粘着剤組成物からなる粘着剤層が積層されている粘着剤付き光学フィルム。
【請求項１３】
光学フィルムが偏光板である請求項１２に記載の粘着剤付き光学フィルム。
【請求項１４】
請求項１２または１３に記載の粘着剤付き光学フィルムが、前記粘着剤層を介して貼り合わされてなる画像表示装置。
【手続補正書】
【提出日】平成27年7月15日(2015.7.15)
【手続補正１】
【補正対象書類名】明細書
【補正対象項目名】００１０
【補正方法】変更
【補正の内容】
【００１０】
【化１】
2013047336.tif 000001
［下記の一般式（１）中、Ｒ1及びＲ2は各々独立して水素原子、アルキル基、アリール基又はアラルキル基を表す。］
【手続補正２】
【補正対象書類名】特許請求の範囲
【補正対象項目名】全文
【補正方法】変更
【補正の内容】
【特許請求の範囲】
【請求項１】
分散媒体中に、一般式（１）で表される化合物とキナクリドン骨格を有する顔料が分散した顔料分散体。
【化１】
2013047336.tif 000002
［一般式（１）中、Ｒ1及びＲ2は、各々独立して、水素原子、アルキル基、アリール基又はアラルキル基を表す。］
【請求項２】
前記一般式（１）中、Ｒ1がアルキル基又はアリール基である請求項１に記載の顔料分散体。
【請求項３】
前記一般式（１）中、Ｒ1がメチル基、ｎ−ブチル基、シクロヘキシル基、エチルヘキシル基又は４−メチルフェニル基である請求項１に記載の顔料分散体。
【請求項４】
一般式（１）で表される化合物の使用量が顔料１００質量部に対して０．０１乃至１０質量部であることを特徴とする請求項１乃至３の何れか１項に記載の顔料分散体。
【請求項５】
前記キナクリドン骨格を有する顔料が一般式（２）で表わされることを特徴とする請求項１乃至４の何れか１項に記載の顔料分散体。
【化２】
2013047336.tif 000003
［一般式（２）中、Ｘ1、Ｘ2は、各々独立して、水素原子、アルキル基又はハロゲン原子を表す。］
【請求項６】
前記キナクリドン骨格を有する顔料がＣ．Ｉ．Ｐｉｇｍｅｎｔ  Ｒｅｄ  １２２、Ｃ．Ｉ．Ｐｉｇｍｅｎｔ  Ｒｅｄ  ２０２、Ｃ．Ｉ．Ｐｉｇｍｅｎｔ  Ｖｉｏｌｅｔ  １９の群から１種以上選ばれることを特徴とする請求項１乃至４の何れか１項に記載の顔料分散体。
【請求項７】
請求項１乃至６の何れか一項に記載の顔料分散体を含有してなることを特徴とするカラーフィルター用レジスト組成物。
【請求項８】
請求項１乃至６の何れか一項に記載の顔料分散体を含有してなることを特徴とするインク組成物。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
モノアゾ顔料、樹脂、及び下記式（１）で表される界面活性剤を含有する、熱エネルギーの作用により記録ヘッドから吐出されるインクジェット記録方式に用いられるインクであって、
前記界面活性剤に占める、エチレンオキサイド基部分の分子量の割合が１０％以上８５％以下であり、
前記モノアゾ顔料が、−ＣＯＯＭ、−ＳＯ3Ｍ、−ＰＯ3ＨＭ、及び−ＰＯ3Ｍ2（式中のＭは、水素原子、アルカリ金属、アンモニウム、又は有機アンモニウムである）からなる群より選ばれる少なくとも１種の親水性基が、顔料粒子の表面に直接又は他の原子団を介して結合している自己分散顔料であり、
前記樹脂の酸価が、２４０ｍｇＫＯＨ／ｇ以下であることを特徴とするインク。
2013047322.tif 000001
（式（１）中、１．０≦ｎ、１．０≦ｍである）
【請求項２】
前記モノアゾ顔料が、アルキレン基、アリーレン基、アミド基、スルホニル基、アミノ基、カルボニル基、エステル基、及びエーテル基からなる群より選ばれる少なくとも１種の原子団を介して、−ＣＯＯＭ、−ＳＯ3Ｍ、−ＰＯ3ＨＭ、及び−ＰＯ3Ｍ2（式中のＭは、水素原子、アルカリ金属、アンモニウム、又は有機アンモニウムである）からなる群より選ばれる少なくとも１種の親水性基が、顔料粒子の表面に結合している自己分散顔料である請求項１に記載のインク。
【請求項３】
前記インク中の、前記樹脂の含有量（質量％）が、前記モノアゾ顔料の含有量（質量％）に対する質量比率で、０．２５倍以上１．０倍以下である請求項１又は２に記載のインク。
【請求項４】
前記樹脂の酸価が、１７０ｍｇＫＯＨ／ｇ以下である請求項１乃至３のいずれか１項に記載のインク。
【請求項５】
前記樹脂の酸価が、１００ｍｇＫＯＨ／ｇ以上である請求項１乃至４のいずれか１項に記載のインク。
【請求項６】
前記インク中の前記樹脂の含有量（質量％）が、インク全質量を基準として、１．０質量％以上５．０質量％以下である請求項１乃至５のいずれか１項に記載のインク。
【請求項７】
前記インク中の前記界面活性剤の含有量（質量％）が、インク全質量を基準として、０．０５質量％以上５．０質量％以下である請求項１乃至６のいずれか１項に記載のインク。
【請求項８】
前記インク中の前記モノアゾ顔料の含有量（質量％）が、インク全質量を基準として、２．５質量％以上１０．０質量％以下である請求項１乃至７のいずれか１項に記載のインク。
【請求項９】
前記式（１）中のｍが、１０．０≦ｍ≦６０．０である請求項１乃至８のいずれか１項に記載のインク。
【請求項１０】
前記式（１）中、ｎが７．９≦ｎ≦４５０．０であり、かつ、ｍが１０．０≦ｍ≦６０．０である請求項１乃至８のいずれか１項に記載のインク。
【請求項１１】
前記インク中の、前記界面活性剤の含有量（質量％）が、前記モノアゾ顔料の含有量（質量％）に対する質量比率で、０．０５倍以上０．５倍以下である請求項１乃至１０のいずれか１項に記載のインク。
【請求項１２】
前記界面活性剤の構造が、プロピレンオキサイド基のブロックの両端にエチレンオキサイド基のブロックが結合した形態を有する請求項１乃至１１のいずれか１項に記載のインク。
【請求項１３】
前記界面活性剤に占める、エチレンオキサイド基部分の分子量の割合が４１％以上８５％以下である請求項１乃至１２のいずれか１項に記載のインク。
【請求項１４】
前記界面活性剤に占める、エチレンオキサイド基部分の分子量の割合が５７％以上８５％以下である請求項１乃至１３のいずれか１項に記載のインク。
【請求項１５】
前記モノアゾ顔料が、Ｃ．Ｉ．ピグメントイエロー７４である請求項１乃至１４のいずれか１項に記載のインク。
【請求項１６】
インクと、前記インクを収容するインク収容部とを備えたインクカートリッジであって、
前記インクが、請求項１乃至１５のいずれか１項に記載のインクであることを特徴とするインクカートリッジ。
【請求項１７】
熱エネルギーの作用によりインクジェット方式の記録ヘッドからインクを吐出させて記録媒体に画像を記録するインクジェット記録方法であって、
前記インクが、請求項１乃至１５のいずれか１項に記載のインクであることを特徴とするインクジェット記録方法。